(57)【要約】【課題】  風の影響を受けることなく線香等に火を着けることができ、不使用時には持ち運び易いようにコンパクトな形状になり、しかも、持ち運ぶ際に不意に着火する虞れがなく、安全な着火具を提供することを目的とする。【解決手段】  側面に着火用押圧可動部材14を有するライター本体10と、押圧可動部材14を露出させるための窓部18を側面15ｂに有しライター本体10を収納する筒状グリップ体15と、グリップ体15の長手方向Ｌにスライド自在に外嵌された先端拡大状のフード体２と、を具備する。そして、フード体２が、グリップ体15に対して、長手方向Ｌの先端側Ｌ1 にスライドされて、押圧可動部材14が、露出されたり、あるいは、フード体２が、グリップ体15に対して、長手方向Ｌの基端側Ｌ2 にスライドされて、押圧可動部材14が、フード体２の内部３に収納されるように、切換自在として構成される。【選択図】  図２
2006064225.tif 000002
【特許請求の範囲】
【請求項１】
ライター本体（10）と、該ライター本体（10）を収納する収納空室部（17）を有する筒状グリップ体（15）と、該グリップ体（15）の長手方向（Ｌ）にスライド自在に外嵌された先端拡大状のフード体（２）と、を具備することを特徴とする着火具。
【請求項２】
側面（10ｂ）に着火用押圧可動部材（14）を有するライター本体（10）と、
該ライター本体（10）を収納する収納空室部（17）、及び、上記押圧可動部材（14）を露出させるための窓部（18）を側面（15ｂ）に有する筒状グリップ体（15）と、
該グリップ体（15）の長手方向（Ｌ）にスライド自在に外嵌された先端拡大状のフード体（２）と、を具備することを特徴とする着火具。
【請求項３】
側面（10ｂ）に着火用押圧可動部材（14）を有するライター本体（10）と、
該ライター本体（10）を収納する収納空室部（17）、及び、上記押圧可動部材（14）を露出させるための窓部（18）を側面（15ｂ）に有する筒状グリップ体（15）と、
該グリップ体（15）の長手方向（Ｌ）にスライド自在に外嵌された先端拡大状のフード体（２）と、を具備し、
上記フード体（２）が、上記グリップ体（15）に対して、長手方向（Ｌ）の先端側（Ｌ1 ）にスライドされて、上記押圧可動部材（14）が、露出され、
一方、上記フード体（２）が、上記グリップ体（15）に対して、長手方向（Ｌ）の基端側（Ｌ2 ）にスライドされて、上記押圧可動部材（14）が、上記フード体（２）の内部（３）に収納されるように、切換自在として構成されたことを特徴とする着火具。
【請求項４】
上記ライター本体（10）は、その先端（10ａ）に、先端開口（13ａ）から火炎を出す不燃材から成る細長筒部（13）を有する細長棒状火炎ノズル部（12）が、突設された請求項１，２又は３記載の着火具。
【発明の詳細な説明】
【技術分野】
【０００１】
本発明は、線香に着火する場合等に使用される着火具に関するものである。
【背景技術】
【０００２】
従来、先端側が拡径して略楕円状に開口した筒状防風体（フード体）を、ライターに、着脱自在として包囲状に取り付け、フード体の先端側から内部に線香を入れて、フード体の側壁部から突出状に設けられる着火用把持部（着火ボタン）を押してライターを着火し、風よけをしながら、線香に着火する防風用着火具が知られている（例えば、特許文献１参照）。
【特許文献１】登録実用新案第３０３６８２４号公報
【発明の開示】
【発明が解決しようとする課題】
【０００３】
この従来の着火具は、フード体が、長手方向に長いため、カバンに入れて持ち運ぶ際等に邪魔になる。しかも、持ち運ぶ際に、フード体の側壁部に突設された着火ボタンが、不意に押されることがあると、カバン等の中で誤まって着火するので、危険である。
さらに、ライターの火を、少し長めの時間（例えば30秒間以上）つけ続けると、ライターの発火部分の温度が上昇し、溶解する等の破損を起こし易く、危険である。
【０００４】
そこで、本発明は、お墓参り等の外部でも、風の影響を受けることなく線香等に火を着けることができ、不使用時には持ち運び易いようにコンパクトな形状になり、しかも、持ち運ぶ際に誤まって着火する虞れがなく、安全な着火具を提供することを目的とする。
【課題を解決するための手段】
【０００５】
上記の目的を達成するために、本発明に係る着火具は、ライター本体と、該ライター本体を収納する収納空室部を有する筒状グリップ体と、該グリップ体の長手方向にスライド自在に外嵌された先端拡大状のフード体と、を具備する。
【０００６】
また、着火具は、側面に着火用押圧可動部材を有するライター本体と；該ライター本体を収納する収納空室部、及び、上記押圧可動部材を露出させるための窓部を側面に有する筒状グリップ体と；該グリップ体の長手方向にスライド自在に外嵌された先端拡大状のフード体と、を具備する。
【０００７】
また、着火具は、側面に着火用押圧可動部材を有するライター本体と；該ライター本体を収納する収納空室部、及び、上記押圧可動部材を露出させるための窓部を側面に有する筒状グリップ体と；該グリップ体の長手方向にスライド自在に外嵌された先端拡大状のフード体と、を具備し；上記フード体が、上記グリップ体に対して、長手方向の先端側にスライドされて、上記押圧可動部材が、露出され；一方、上記フード体が、上記グリップ体に対して、長手方向の基端側にスライドされて、上記押圧可動部材が、上記フード体の内部に収納されるように、切換自在として構成された。
【０００８】
さらに、上記ライター本体は、その先端に、先端開口から火炎を出す不燃材から成る細長筒部を有する細長棒状火炎ノズル部が、突設されている。
【発明の効果】
【０００９】
本発明は、次のような著大な効果を奏する。
ライター本体及びグリップ体を、フード体の基端側にスライドさせて、伸長状の使用状態にセットすれば、ライター本体の火炎放出部を、フード体で覆うことができ、外部でも、フード体の内部で、線香等に、風の影響を受けることなく火をつけることができ、かつ、火炎を所定の時間、保ち得る。
また、不使用時には、ライター本体及びグリップ体から成る着火体を、フード体の内部にスライドさせて収納すれば、着火具はコンパクトな大きさになり、持ち運びに便利である。
このように、フード体が、ライター本体及びグリップ体に対し、長手方向にスライド自在であるので、使用時と不使用時の状態に、容易に切換えることができる。
しかも、不使用時に、ライター本体の着火用押圧可動部材が、フード体に覆われるので、カバンに入れて持ち運ぶ場合等に、押圧可動部材が、不意に押されることがなく、誤まって着火するのを防ぐことができ、安全である。
また、この押圧可動部材が、ライター本体の側面に設けられるので、使用時に、グリップ体を握った片方の手で、押圧可動部材を容易に押すことができる。
【発明を実施するための最良の形態】
【００１０】
以下、実施の形態を示す図面に基づき、本発明を詳説する。
図１〜図９に示すように、本発明に係る着火具は、ライター本体10と、ライター本体10を収納する収納空室部17を有する筒状グリップ体15と、グリップ体15の長手方向Ｌにスライド自在に外嵌された先端拡大状のフード体２と、を具備する。
ライター本体10は、細長帯板形状の胴体部11と、胴体部11の先端10ａに突設され先端開口13ａから火炎を出す不燃材から成る細長筒部13を有する細長棒状火炎ノズル部12と、を具備する。
火炎ノズル部12の細長筒部13を成す不燃材は、例えば、金属製薄板材等から成るのが好ましい。また、細長筒部13は、先端部近傍に、複数の空気入出用孔が、長手方向に細長状に切欠かれている。
胴体部11は、側面10ｂのうち左右側面以外の側面の一方に、押圧可動部材（プッシュ式着火ボタン）14を、有すると共に、上記側面のうちの他方に、火力を調節するための火力調節小レバー26を、有する（図８，図９参照）。
【００１１】
また、グリップ体15は、ライター本体10の胴体部11が抜差自在に挿嵌される開口部15ａを先端に有する有底筒形状であり、外部側面15ｂのうち左右夫々の側面に、長手方向Ｌに細長状に２列隆起状に形成され（後述する）フード体２のガイド枠体４の小帯板片４ｂを両側から挟んでガイドするレール条19を、有する。
また、グリップ体15は、夫々のレール条19の内側に、先端部及び基端部に凹設され（後述する）フード体２のガイド枠体４の係止凸部６が係止離脱自在に係合する２つの係止凹部16Ａ，16Ｂを、有する。
また、グリップ体15は、挿嵌されるライター本体10の押圧可動部材14及び火力調節小レバー26の位置に対応して、窓部18Ａ，18Ｂが、切欠いて形成される。押圧可動部材14に対応する窓部18Ａは、押した際に指がフィットする側面視弯曲状に形成され、火力調節小レバー26に対応する窓部18Ｂは、平面視横長細形状に形成される。
さらに、グリップ体15は、外部側面15ｂの長手方向Ｌの中間位置に、グリップ体15をフード体２に対して先端側Ｌ1 に一定位置までスライドさせると（後述する）フード体２のガイド枠体４の環状部４ｃに当接してスライド規制するストッパ突部34を、有する。
そして、ライター本体10が、（図９の矢印30に示すように、）筒状グリップ体15の収納空室部17に収納取外自在に挿嵌されて、着火体１が、構成される。
グリップ体15は、例えば、プラスチック等の樹脂材から成る。
【００１２】
次に、フード体２について具体的に説明する。
フード体２は、先端開口21側へ拡径状の（ラッパ状、あるいは、筒型花びら状の）筒形本体部20と、本体部20の基端開口22に内嵌状に固着されグリップ体15に長手方向Ｌにスライド自在に外嵌される開口４ａを有する環状ガイド枠体４と、から成る。
先端開口21は、側面視において、一方の端部から中間位置までの部位21ａは、上記長手方向Ｌに対し略直交状に形成され、かつ、その中間位置から他方の端部までの部位21ｂは、基端側Ｌ2 へ緩やかに傾斜して形成されている。これらの部位21ａ，21ｂの形状により、線香８を、フード体２に差込み易い。
ガイド枠体４は、その環状部４ｃから基端方向に延設されグリップ体15のレール条19にガイドされつつグリップ体15の側面15ｂを左右から挟む、左右一対の小帯板片４ｂ，４ｂを、有する。
また、ガイド枠体４は、開口４ａ内において小帯板片４ｂ，４ｂの先端側の位置で突設された一対の係止凸部６，６を、有する。
本体部20とガイド枠体４は、例えば、プラスチック等の樹脂材から成る。
【００１３】
そして、グリップ体15の先端側の係止凹部16Ａに、フード体２の係止凸部６が係合した場合、グリップ体15は、フード体２の基端側に伸長状にセットされて、押圧可動部材14が、露出した状態になる（図１，図２，図３，図４参照）。
あるいは、基端側の係止凹部16Ｂに、フード体２の係止凸部６が係合した場合、グリップ体15は、フード体２の内部３に収納されて、押圧可動部材14が、フード体２に覆われた（隠蔽された、あるいは被覆された）状態になる（図５，図６，図７参照）。
【００１４】
次に、本発明の着火具の使用方法について説明する。
先ず、図９に示すように、ライター本体10を、矢印30のように、グリップ体15の収納空室部17に差込み、図８に示すように、着火体１を構成する。
そして、図８に於て、着火体１を、矢印31のように、フード体２に、ガイド枠体４の側から挿入し、図５，図６，図７に示すように、着火体１を、フード体２のガイド枠体４の開口４ａに内嵌させ、長手方向Ｌにスライドさせて、（グリップ体15の）基端側の係止凹部16Ｂに、フード体２の（ガイド枠体４の）係止凸部６（図８参照）を係合させると、着火体１は、フード体２に収納された状態になる。このとき、押圧可動部材14がフード体２に覆われて、着火具は、不使用の状態となり、不意にスライドすることなく保持される。  なお、この場合、グリップ体15のストッパ突部34により、着火体１が、フード体２の内部３へのスライド（行き過ぎ）が、防がれる。
【００１５】
次に、図５，図６，図７に示す状態から、着火体１を、長手方向Ｌの基端側Ｌ2 にスライドさせて、図１，図２，図３，図４に示すように、（グリップ体15の）基端側の係止凹部16Ａに、フード体２の（ガイド枠体４の）係止凸部６を係合させると、着火体１は、フード体２の基端側に伸長状にセットされる。このとき、着火具は、押圧可動部材14が露出された使用可能状態になり、不意にスライドすることなく保持される。
そして、（例えば、）束状の線香８を、フード体２の先端開口21から内部３に差込み、押圧可動部材14を押して、火炎ノズル部12で、線香８に着火する。ライター本体10の火炎ノズル部12はフード体２に覆われており、外部の風等の影響を受けないので、火炎が所望の時間保たれ、安定して火をつけることができる。
【００１６】
線香８等への点火が完了したら、着火体１を、長手方向Ｌの先端側Ｌ1 にスライドさせて、（既述した）図５，図６，図７に示す状態にすれば、着火具は、コンパクトな大きさに収納される。しかも、押圧可動部材14がフード体２に覆われるので、カバンに入れて持ち運ぶ場合等に、押圧可動部材14に、不意に、物が触れたりせず、押されることがない。よって、誤って着火せず、安全である。
また、ライター本体10を交換する場合には、図８に於て、矢印31のように、着火体１を、フード体２から取外し、次いで、図９のように、グリップ体15から、ライター本体10を取外して、新たなライター本体10をグリップ体15に挿嵌して、既述の手順で使用する。
【００１７】
以上のように、本発明に係る着火具は、ライター本体10と、ライター本体10を収納する収納空室部17を有する筒状グリップ体15と、グリップ体15の長手方向Ｌにスライド自在に外嵌された先端拡大状のフード体２と、を具備するので、ライター本体10及びグリップ体15を、フード体２の基端側にスライドさせて、伸長状の使用状態にセットすれば、ライター本体10の着火部を、フード体２で覆うことができ、フード体２の内部で、線香等に、風の影響を受けることなく着火することができ、かつ、火炎を所定の時間、保ち得る。
また、不使用時には、ライター本体10及びグリップ体15を、フード体２の内部にスライドさせて収納すれば、着火具はコンパクトな大きさになり、持ち運びに便利である。
このように、フード体２が、ライター本体10及びグリップ体15に対し、長手方向Ｌにスライド自在であるので、着火具を、使用時と不使用時の状態に、容易に切換えることができる。
さらに、グリップ体15からフード体２を取り外せば、タバコや花火等へ点火する用い方もできる。
また、ライター本体10が、グリップ体15に収納取出自在なので、ライター本体10を、新たなライター本体10に、容易に交換することができる。
また、フード体２の先端が拡大状に形成されているので、線香等を、差込み易い。
【００１８】
また、着火具は、側面10ｂに着火用押圧可動部材14を有するライター本体10と、ライター本体10を収納する収納空室部17、及び、押圧可動部材14を露出させるための窓部18を側面15ｂに有する筒状グリップ体15と、グリップ体15の長手方向Ｌにスライド自在に外嵌された先端拡大状のフード体２と、を具備するので、ライター本体10及びグリップ体15を、フード体２の基端側にスライドさせて、伸長状の使用状態にセットすれば、ライター本体10の着火部を、フード体２で覆うことができ、フード体２の内部で、線香等に、風の影響を受けることなく着火することができ、かつ、火炎を所定の時間、保ち得る。
また、不使用時には、ライター本体10及びグリップ体15を、フード体２の内部にスライドさせて収納すれば、着火具はコンパクトな大きさになり、持ち運びに便利である。
このように、フード体２が、ライター本体10及びグリップ体15に対し、長手方向Ｌにスライド自在であるので、着火具を、使用時と不使用時の状態に、容易に切換えることができる。
さらに、グリップ体15からフード体２を取り外せば、タバコや花火等へ点火する用い方もできる。
そして、着火用押圧可動部材14が、ライター本体10の側面10ｂに設けられるので、使用時に、グリップ体15を握った片方の手で、押圧可動部材14を容易に押すことができる。
また、ライター本体10が、グリップ体15に収納取出自在なので、ライター本体10を、新たなライター本体10に、容易に交換することができる。
また、フード体２の先端が拡大状に形成されているので、線香等を、差込み易い。
【００１９】
また、着火具は、側面10ｂに着火用押圧可動部材14を有するライター本体10と、ライター本体10を収納する収納空室部17、及び、押圧可動部材14を露出させるための窓部18を側面15ｂに有する筒状グリップ体15と、グリップ体15の長手方向Ｌにスライド自在に外嵌された先端拡大状のフード体２と、を具備し、フード体２が、グリップ体15に対して、長手方向Ｌの先端側Ｌ1 にスライドされて、押圧可動部材14が、フード体２の基端側に露出され、一方、フード体２が、グリップ体15に対して、長手方向Ｌの基端側Ｌ2 にスライドされて、押圧可動部材14が、フード体２の内部３に収納されるように、切換自在として構成されているので、ライター本体10及びグリップ体15を、フード体２の基端側にスライドさせて、伸長状の使用状態にセットすれば、ライター本体10の火炎ノズル部12を、フード体２で覆うことができ、火炎が所望の時間保たれ、線香等に、風の影響を受けることなく火をつけることができる。
また、不使用時には、ライター本体10及びグリップ体15を、フード体２の内部にスライドさせて収納すれば、着火具はコンパクトな大きさになり、持ち運びに便利である。
このように、フード体２が、ライター本体10及びグリップ体15に対し、長手方向Ｌにスライド自在であるので、着火具を、使用時と不使用時の状態に、容易に切換えることができる。
さらに、グリップ体15からフード体２を取り外せば、タバコや花火等へ点火する用い方もできる。
しかも、不使用時に、押圧可動部材14がフード体２に覆われるので、カバンに入れて持ち運ぶ場合等に、押圧可動部材14が、不意に押されることがなく、誤まって着火するのを防ぐことができ、安全である。
そして、着火用押圧可動部材14が、ライター本体10の側面10ｂに設けられるので、使用時に、グリップ体15を握った片方の手で、押圧可動部材14を容易に押すことができる。
また、ライター本体10が、グリップ体15に収納取出自在なので、ライター本体10を、新たなライター本体10に、容易に交換することができる。
また、フード体２が、先端側に拡大状に形成されているので、線香等を、差込み易い。
【００２０】
また、ライター本体10は、その先端10ａに、先端開口13ａから火炎を出す不燃材から成る細長筒部13を有する細長棒状火炎ノズル部12が、突設されるので、少し長めの時間（例えば30秒以上）、ライター本体10の火炎を出し続けても、ライター本体10の頭部が溶解する虞れがなく、安全である。
【図面の簡単な説明】
【００２１】
【図１】本発明に係る着火具の実施の一形態を示す斜視図である。
【図２】一部断面側面図である。
【図３】側面図である。
【図４】平面図である。
【図５】縮めた状態を示す一部断面側面図である。
【図６】側面図である。
【図７】平面図である。
【図８】分解一部断面側面図である。
【図９】ライター本体とグリップ体を示す側面図である。
【符号の説明】
【００２２】
２  フード体
３  内部
10  ライター本体
10ａ  先端
10ｂ  側面
12  火炎ノズル部
13  細長筒部
13ａ  開口
14  押圧可動部材
15  グリップ体
15ｂ  側面
17  収納空室部
18  窓部
Ｌ  長手方向
Ｌ1   先端側
Ｌ2   基端側
【図１】
2006064225.tif 000003
【図２】
2006064225.tif 000004
【図３】
2006064225.tif 000005
【図４】
2006064225.tif 000006
【図５】
2006064225.tif 000007
【図６】
2006064225.tif 000008
【図７】
2006064225.tif 000009
【図８】
2006064225.tif 000010
【図９】
2006064225.tif 000011